(57)【要約】      （修正有）【課題】密封性と開封性に優れた円錐型包装体を提供する。【解決手段】透明基材フィルム層、紙層、アルミニウム箔層、熱接着性樹脂層が順に積層された略扇型形状の積層体を逆円錐状に巻回して両側端縁部40,50を側端接合部7で接合し、内容物を収納して上・下端部を熱接着により密封した円錐型包装体において、一方の側端縁部40の略中央部に引裂き用摘み部4と、円錐面の略円周方向に設けられた透明基材フィルム層側から紙層に達する第１ミシン目線5と、側端接合部7の引裂き用摘み部4側の端縁の外側近傍の他方の側端縁部50を構成する積層体に透明基材フィルム層側から紙層に達する他方の側端縁部50側に両端部が向く少なくとも一つの開封用切目6とを有する円錐型包装体。【選択図】図１
2005255243.tif 000002
【特許請求の範囲】
【請求項１】
透明基材フィルム層、紙層、アルミニウム箔層、熱接着性樹脂層が順に積層された略扇型形状の積層体を逆円錐状に巻回して一方の側端縁部を他方の側端縁部の上に重ねて側端接合部で接合し、内容物を収納して上・下端部を熱接着により密封した円錐型包装体において、前記一方の側端縁部の略中央部に側端から設けられた区画手段により区画された略横方向に引き裂くための引裂き用摘み部と、前記引裂き用摘み部を区画する円錐頂点側に位置する区画手段に連接すると共に円錐面を構成する前記積層体の略円周方向に設けられた前記透明基材フィルム層側から前記紙層に達する第１ミシン目線と、前記引裂き用摘み部の引裂き方向に位置する前記側端接合部の前記引裂き用摘み部側の端縁の外側近傍の前記他方の側端縁部を構成する前記積層体に前記透明基材フィルム層側から前記紙層に達する前記他方の側端縁部側に両端部が向くと共に前記両端部が前記区画手段の延長線内に位置する少なくとも一つの開封用切目とを有することを特徴とする円錐型包装体。
【請求項２】
前記第１ミシン目線は略Ｌ字状切目が一定間隔で設けられたものであって、前記略Ｌ字状切目は引裂き方向に略直交する方向の切目が引裂き方向の切目に対して引裂き方向とは逆方向に、かつ、円錐頂点側に鈍角となるように形成されていることを特徴とする請求項１記載の円錐型包装体。
【請求項３】
前記引裂き用摘み部を区画する円錐頂点と反対側に位置する区画手段に連接して前記第１ミシン目線から遠ざかるように円錐面を構成する前記積層体の円周方向に前記透明基材フィルム層側から前記紙層に達する第２ミシン目線が設けられていることを特徴とする請求項１、２のいずれかに記載の円錐型包装体。
【請求項４】
前記区画手段が切欠とこれに連接する貫通切目からなることを特徴とする請求項１〜３のいずれかに記載の円錐型包装体。
【発明の詳細な説明】
【技術分野】
【０００１】
本発明は、チョコレート菓子等の保香性や防湿性を求められる略円錐形状の食品を包装するための円錐型包装体に関し、特に、食品の円錐形状の頂点側が下になるように包装体の下半分を一方の手で保持した状態で、他方の手で包装体の上半分を引き裂いて取り除き、食品の上半分を露出させて食するタイプの円錐型包装体に関するものである。
【背景技術】
【０００２】
従来より、チョコレート菓子等の保香性や防湿性を求められる略円錐形状の食品を包装する円錐型包装体が提供されている。この種の包装体を構成する積層体の層構成を例示すると、印刷層／アルミニウム箔層／紙層／熱接着性樹脂層からなるものを挙げることができる。上記仕様からなる円錐型包装体は、該包装体の高さ方向略中央部に引裂き用つまみが設けられ、開封時に包装体の円錐頂点側が下になるように包装体の下半分を一方の手で保持した状態で、他方の手で引裂き用摘み部を包装体の上下方向に対して略直交する方向（横方向）に引っ張ることにより包装体を引き裂いて包装体の上半分を取り除き、食品の上半分を露出させて食するようになっている（たとえば、特許文献１参照）。
【０００３】
しかしながら、特許文献１に記載された円錐型包装体は、包装体の上半分を引き裂いて取り除く操作をした際に、引裂き線が一定しないために食品の上半分を食し易い状態に露出させることができないという問題がある。
【０００４】
上記した問題を解決するものとして、たとえば、包装体（容器）の円錐頂点側に位置する引裂き用摘み部（タブ）の一端に連接し、かつ円錐面の円周方向にリング状に第１の破断線を設けると共に第１の破断線に対して円錐頂点の反対側に位置する引裂き用摘み部（タブ）の他端に連接し、引裂き用摘み部（タブ）の引裂き方向に第１の破断線から遠ざかるようにテーパー状に傾斜した第２の破断線とを備えた円錐型包装体（容器）が提案されている（たとえば、特許文献２参照）。
【０００５】
この特許文献２に記載された包装体（容器）は、引裂き用摘み部（タブ）を包装体（容器）の本体に対して引っ張るだけで、ワンタッチで包装体（容器）の上半分を下半分に対して引き裂くことができると共に包装体（容器）内に収納されている略円錐形状の食品を包装体（容器）の下半分に対して全周に亘って均一に露出させることができるという優れた効果を奏するものである。
【０００６】
しかしながら、特許文献２に記載された円錐型包装体（容器）には次のような問題がある。すなわち、包装体（容器）は略扇型形状のシート部材を逆円錐状に巻回して一方の側端縁部を他方の側端縁部の上に重ね、重ねた箇所をホットメルトで接合する際に、引裂き用摘み部（タブ）に対応する部分が接合されていないために密封されたものではなく、また、包装体（容器）は破断線を形成した箇所がポリエチレン層のみからなるために、保香性や防湿性においては問題がある。中でも、特許文献２に記載された引き裂き案内樹脂層を有する構成からなる円錐型包装体（容器）は、引き裂き案内樹脂層により優れた光沢を有する意匠性に優れた円錐型包装体（容器）とすることができるが、上記した引裂き用摘み部（タブ）に対応する部分をホットメルトで接合すると、引裂き用摘み部（タブ）を引っ張っても接合部を剥離することができないために引き裂き開封することができないという問題がある。また、剥離可能なホットメルトを用いるなり、上記した引裂き用摘み部（タブ）に対応する部分に剥離剤層を設けるなりする方法はあるが、これらの場合には輸送時等において何等かの外力により剥離して密封性が損なわれる虞がある。
【特許文献１】実用新案登録第２５９７３２２公報
【特許文献２】特開２００１−１７１６４３号公報
【発明の開示】
【発明が解決しようとする課題】
【０００７】
そこで本発明は、密封することができて保香性や防湿性に優れた円錐型包装体を提供することであり、また、包装体を開封するという意識操作をしない限りにおいては剥離することがなく、引裂き用摘み部を包装体の本体に対して略横方向に引っ張ることにより、包装体の上半分を下半分に対して簡単に引き裂くことができ、包装体内に収納された略円錐形状の食品の上半分をスムーズに露出させることができる円錐型包装体を提供することである。
【課題を解決するための手段】
【０００８】
本発明者は、上記課題を達成するために、請求項１記載の本発明は、透明基材フィルム層、紙層、アルミニウム箔層、熱接着性樹脂層が順に積層された略扇型形状の積層体を逆円錐状に巻回して一方の側端縁部を他方の側端縁部の上に重ねて側端接合部で接合し、内容物を収納して上・下端部を熱接着により密封した円錐型包装体において、前記一方の側端縁部の略中央部に側端から設けられた区画手段により区画された略横方向に引き裂くための引裂き用摘み部と、前記引裂き用摘み部を区画する円錐頂点側に位置する区画手段に連接すると共に円錐面を構成する前記積層体の略円周方向に設けられた前記透明基材フィルム層側から前記紙層に達する第１ミシン目線と、前記引裂き用摘み部の引裂き方向に位置する前記側端接合部の前記引裂き用摘み部側の端縁の外側近傍の前記他方の側端縁部を構成する前記積層体に前記透明基材フィルム層側から前記紙層に達する前記他方の側端縁部側に両端部が向くと共に前記両端部が前記区画手段の延長線内に位置する少なくとも一つの開封用切目とを有することを特徴とするものである。このように構成することにより、保香性や防湿性を有する密封性に優れた包装体とすることができる。また、包装体を開封する際には、円錐形状の頂点側が下になるように包装体の下半分を一方の手で保持した状態で、他方の手で引裂き用摘み部を摘んで包装体に対して略横方向に引っ張ることにより、開封用切目から他方の側端縁部の積層体の紙層間に剥離界面が移行すると共に少なくとも円錐頂点側に位置する区画手段から、これに連接する第１ミシン目線に沿って引き裂くことができるために、包装体の上半分を下半分に対して簡単に引き裂くことができ、包装体内に収納された略円錐形状の食品の上半分をスムーズに露出させることができる。また、表面に存在する透明基材フィルム層により、優れた光沢を有する意匠性に優れた包装体とすることができる。
【０００９】
また、請求項２記載の本発明は、請求項１記載の円錐型包装体において、前記第１ミシン目線は略Ｌ字状切目が一定間隔で設けられたものであって、前記略Ｌ字状切目は引裂き方向に略直交する方向の切目が引裂き方向の切目に対して引裂き方向とは逆方向に、かつ、円錐頂点側に鈍角となるように形成されていることを特徴とするものである。このように構成することにより、引裂き開封後の包装体の下半分の引裂き開封端面を人に優しい開封端面とすることができる。
【００１０】
また、請求項３記載の本発明は、請求項１、２のいずれかに記載の円錐型包装体において、前記引裂き用摘み部を区画する円錐頂点と反対側に位置する区画手段に連接して前記第１ミシン目線から遠ざかるように円錐面を構成する前記積層体の円周方向に前記透明基材フィルム層側から前記紙層に達する第２ミシン目線が設けられていることを特徴とするものである。このように構成することにより、引裂き用摘み部を摘んで包装体に対して略横方向に引っ張ることにより、区画手段に連接する第１ミシン目線と第２ミシン目線に沿って引き裂くことができるために包装体の上半分を下半分に対して一層簡単に引き裂くことができ、包装体内に収納された略円錐形状の食品の上半分を一層スムーズに露出させることができる。
【００１１】
また、請求項４記載の本発明は、請求項１〜３のいずれかに記載の円錐型包装体において、前記区画手段が切欠とこれに連接する貫通切目からなることを特徴とするものである。このように構成することにより、目で見て引裂き用摘み部を認識することができると共に小さい力で引き裂き開始することができる。
【発明の効果】
【００１２】
本発明の円錐型包装体は、密封することができるために保香性や防湿性に優れると共に、包装体を開封するという意識操作をしない限りにおいては剥離することがなく、引裂き用摘み部を包装体の本体に対して略横方向に引っ張ることにより、包装体の上半分を下半分に対して簡単に引き裂くことができ、包装体内に収納された略円錐形状の食品の上半分をスムーズに露出させることができるという優れた効果を奏するものである。また、表面に存在する透明基材フィルム層により、優れた光沢を有するために意匠性においても優れるという効果を奏するものである。
【発明を実施するための最良の形態】
【００１３】
上記の本発明について、図面等を用いて以下に詳しく説明する。
図１は本発明にかかる円錐型包装体の一実施例の開封時の初期段階を示す斜視図、図２は図１の円錐型包装体の成型前のブランクを示す平面図、図３（ａ）はブランクを構成する積層体の層構成を図解的に示す図、（ｂ）は図２のＸ−Ｘ線断面を図解的に示す図、図４は図２のブランクから成型された半完成円錐型包装体の斜視図、図５は図４の引裂き用摘み部近傍を拡大して示す説明図、図６は図５に対応する開封用切目の他の設け方を示す説明図、図７は本発明にかかる円錐型包装体の他の実施例を示す図５に対応する図、図８（ａ）は図１に示す包装体の引裂き開封後の下半分の引裂き開封端面を図解的に示す説明図、（ｂ）は図７に示す包装体の引裂き開封後の下半分の引裂き開封端面を図解的に示す説明図であり、図中の１は円錐型包装体、１’はブランク、２，２’は切欠、３，３’は貫通切目、４は引裂き用摘み部、５は第１ミシン目線、５’は第２ミシン目線、６，６’は開封用切目、７は側端接合部、１０は積層体、１１は透明基材フィルム層、１２は紙層、１３はアルミニウム箔層、１４は熱接着性樹脂層、２０は頂点、３０は円弧状の外縁、４０，５０は側端縁部、α，βは突出部、Ｋは突出切目、Ｔは円錐形状のチョコレート菓子をそれぞれ示す。
【００１４】
図１は本発明にかかる円錐型包装体の一実施例の開封時の初期段階を示す斜視図であって、図１に示す円錐型包装体１は、その中に円錐形状のチョコレート菓子Ｔが収納され、図示はしないが、円錐頂点側が下になるように包装体の下半分を一方の手で保持した状態で、他方の手で引裂き用摘み部４を摘んで、略横方向（図１上、符号Ａで示す方向）に引き裂いた直後の状態を示したものである。この引き裂きを継続することにより包装体の上半分が引き裂かれてチョコレート菓子の上半分を露出させることができ、食することができるようになっている。
【００１５】
図２は図１の円錐型包装体の成型前のブランクを示す平面図、図３（ａ）はブランクを構成する積層体の層構成を図解的に示す図であって、ブランク１’は、透明基材フィルム層１１、紙層１２、アルミニウム箔層１３、熱接着性樹脂層１４を順に積層した積層体１０を略扇型形状に打ち抜くことにより形成される。積層方法としては、Ｔダイ押出機を用いてポリエチレン等の熱可塑性樹脂を熱溶融押出して積層する方法、ドライラミネーション法やウエットラミネーション法等を用いて積層する方法など周知の積層方法を適宜用いて積層すればよいものである。
【００１６】
ブランク１’は、略扇型の頂点２０と円弧状の外縁３０の一方の端部とを繋ぐ一方の側端縁部４０の略中央部に２つの略Ｖ字状切欠２、２’とこれに連接する貫通切目３、３’とからなる区画手段により区画された引裂き用摘み部４を備えている。また、ブランク１’は、前記貫通切目３に連接して前記ブランク１’を構成する前記積層体１０の前記透明基材フィルム層１１側から前記紙層１２に達する略Ｌ字状切目からなる第１ミシン目線５〔図３（ｂ）参照〕を備えると共に前記貫通切目３’に連接して前記第１ミシン目線５に対して遠ざかるように前記ブランク１’を構成する前記積層体１０の前記透明基材フィルム層１１側から前記紙層１２に達する略Ｌ字状切目からなる第２ミシン目線５’〔図３（ｂ）参照〕を備えている。そして、前記第１ミシン目線５はブランク１’を成型して円錐型包装体１とした際に、円錐面に対して前記頂点２０から遠ざかるように略扇型の頂点２０と円弧状の外縁３０の他方の端部とを繋ぐ他方の側端縁部５０に延びて形成されている。さらに、前記他方の側端縁部５０に前記積層体１０の前記透明基材フィルム層１１側から前記紙層１２に達する前記他方の側端縁部５０側に両端部が向く略コの字状の開封用切目６を備えている。なお、前記略Ｖ字状切欠２、２’とこれに連接する貫通切目３、３’とは前記積層体１０を略扇型形状に打ち抜く際に同時に形成され、前記第１ミシン目線５と第２ミシン目線５’および前記開封用切目６は別工程でロータリーダイカッターを用いて形成されるが、少なくとも前記第１ミシン目線５と第２ミシン目線５’とは前記紙層１２を貫通するように形成するのが好ましい。このように前記第１ミシン目線５と第２ミシン目線５’とを形成することにより、円錐型包装体１を開封する際に、前記紙層１２間での層間剥離を防止して前記積層体１０を確実に引裂くことができるからである。前記紙層１２を貫通するように前記第１ミシン目線５と第２ミシン目線５’とを形成するには、前記紙層１２の裏面側にクッション層、たとえば、ポリエチレン層を設けた構成とした上で、前記透明基材フィルム層１１側から前記ポリエチレン層にその先端が位置する切刃で刻設することにより容易に形成することができる。なお、この形成方法は、同時に切刃の摩耗を防止することができる（受けロールであるアンビルロールに直接に切刃が当接することがない）ために切刃の使用期間を延ばすことができる。なお、「前記透明基材フィルム層１１側から前記紙層１２に達する」なる表現は、前記紙層１２内に切目の先端が位置する状態、ないし、前記紙層１２を貫通する状態のことである。
【００１７】
上記のように構成されたブランク１’は、前記熱接着性樹脂層１４側を内側にして逆円錐状に巻回して、前記一方の側端縁部４０を前記他方の側端縁部５０の上に重ねると共に重ねた両側端縁部４０、５０にホットメルトを塗布して側端接合部７で接合して図４に示す半完成円錐型包装体となし、その後に前記半完成円錐型包装体内に前記外縁３０により形成された開口部から円錐形状のチョコレート菓子Ｔ等の内容物を充填し、前記半完成円錐型包装体の下端部（頂点２０）を熱接着すると共に、前記外縁３０により形成された開口部を３方向から放射状に寄せ合わせ、互いに対向する前記熱接着性樹脂層１４面同士を熱接着することにより、図１に示すような開封前の密封された円錐型包装体１を得ることができる。
【００１８】
図５は図４の引裂き用摘み部近傍を拡大して示す説明図であって、前記略コの字状の開封用切目６を設ける位置としては、前記側端接合部７の前記引裂き用摘み部５側の端縁の外側近傍で、かつ、前記開封用切目６の両端部が区画手段としての前記略Ｖ字状切欠２、２’とこれに連接する貫通切目３、３’の延長線内、すなわち、図５上では前記貫通切目３、３’に連接して形成されている第１ミシン目線５と第２ミシン目線５’との間に位置するように構成するのが好ましい。しかしながら、前記開封用切目６と前記他方の側端縁部５０に前記貫通切目３から延びている前記第１ミシン目線５とが交差する切刃をロータリーダイカッターのダイロールの周面へ形成することは加工上難度が高いこと、および、ブランク１’を成型して円錐型包装体１とする際の巻き方向の位置ずれ、および、円錐形の上下方向の位置ずれを考慮すると、巻き方向、および、上下方向に図６に示すように複数個の開封用切目６’（図６上、６個）を設けるのが適当である。なお、前記開封用切目６’（図６上、６個）を設ける個数は特段限定するものではなく適宜決めればよいものである。このように構成することにより、前記引裂き用摘み部４を摘んで、略横方向（図５上、右方向）に引き裂いた際に、前記開封用切目６から前記他方の側端縁部５０を構成する積層体１０の紙層１２に剥離界面が移行すると共に前記他方の側端縁部５０側に向いた前記開封用切目６の両端部から前記積層体１０の透明基材フィルム１１が裂けるために密封された前記円錐型包装体１を開封することができる。
【００１９】
また、第１ミシン目線５、第２ミシン目線５’を構成する略Ｌ字状切目は、引裂き方向に略直交する方向の切目が引裂き方向の切目に対して、引裂き方向とは逆方向に鈍角となるように構成するのが適当であり、このように構成することにより引裂き用摘み部４を摘んで引裂き方向（図５上、右方向）に引き裂くと、次から次へと略Ｌ字状切目に沿ってスムーズに引き裂くことができる。
【００２０】
ところで、今までの第１ミシン目線５を構成する略Ｌ字状切目は、引裂き方向に略直交する方向の切目が引裂き方向とは逆方向に、かつ、円錐頂点側とは反対側に鈍角となるものを示したが、この場合には、引裂き開封後の包装体の下半分の引裂き開封端面は、図８（ａ）に示すように略Ｌ字状切目間に鋭角な突出部αが現出するために使用者に多少の不安感を与える虞がある。そこで、前記第１ミシン目線を構成する略Ｌ字状切目は、図７に示すように引裂き方向に略直交する方向の切目が引裂き方向とは逆方向に、かつ、円錐頂点側に鈍角となるように形成することにより、引裂き開封後の包装体の下半分の引裂き開封端面は、図８（ｂ）に示すように平坦な突出部βとなるために使用者に安心感を与える人に優しい開封端面とすることができる。なお、図７に示す略Ｌ字状切目の場合、図７に示すように、切目から切目へのスムーズな橋渡しを考えると、引裂き方向の切目に対して引裂き方向側にも引裂き方向と同方向に、かつ、円錐頂点側に突出する突出切目Ｋ（図７上、一部に符号を入れて示す）を設けるのが好ましい。
【００２１】
また、第１ミシン目線５、第２ミシン目線５’を構成する切目は上記したような略Ｌ字状に限るものではなく、たとえば、引裂き方向と逆方向に開口する略Ｙ字状であってもよいし、通常の破線からなるものであってもよいが、好ましくは上記したような略Ｌ字状ないし略Ｙ字状がスムーズに引き裂くことが出来る点から好ましい。また、区画手段としては、上記した略Ｖ字状切欠２、２’とこれに連接する貫通切目３、３’に限るものではなく、たとえば、略Ｉ字状の貫通切目のみからなるものであってもよいし、略Ｖ字状や引裂き方向に鋭角な多角形状の切欠のみからなるものであってよいものである。さらにまた、本発明の目的からすると、前記第１ミシン目線５があれば前記第２ミシン目線５’は必ずしも設けなくてもよいものである。
【００２２】
次に、前記積層体１０について説明する。前記積層体１０を構成する前記透明基材フィルム１１としては、裏面（紙層側）に印刷が施されるために印刷適性があり、光沢性に優れると共に切欠や切目等から容易に引裂き可能なものであれば特に限定するものではないが、２軸方向に延伸されたポリエステルフィルムやポリプロピレンフィルムが適当である。また、前記紙層１２としては上質紙が適当であり、前記アルミニウム箔層１３としては、周知の軟質アルミニウム箔が適当である。また、前記熱接着性樹脂層１４としては、熱と圧を加えることにより熱接着可能な樹脂であれば特に限定するものではないが、内容物を充填して後に開口部を３方向から放射状に寄せ合わせ、互いに対向する前記熱接着性樹脂層１４面同士を熱接着する際に、ホットタック性が求められることから、好ましくは線状低密度ポリエチレンである。
【００２３】
次に、本発明について、以下に実施例を挙げてさらに詳しく説明する。
【実施例１】
【００２４】
１２μｍ厚さの２軸延伸ポリエステルフィルムの一方の面にグラビア印刷法で印刷層を設け、該印刷層と５２．３ｇ／ｍ2の上質紙とをウレタン系接着剤を介して積層すると共に前記上質紙面にＴダイ押出機で低密度ポリエチレンを１５μｍ厚さに塗布した第１中間積層体を作製した。その後、周面の所定位置に切刃を突設したロータリーダイロールとアンビルロールとからなるロータリーダイカッターを用いて前記第１中間積層体の所定位置に２軸延伸ポリエステルフィルム側から上質紙に達する前記第１ミシン目線５と前記第２ミシン目線５’と前記開封用切目６（図２参照）とを形成した第２中間積層体を作製した。次に、前記第２中間積層体の前記低密度ポリエチレン面にＴダイ押出機で低密度ポリエチレンを１５μｍ厚さに塗布すると共に７μｍのアルミニウム箔をサンドイッチラミネーションし、続いて前記アルミニウム箔面にウレタン系アンカー剤を塗布して後にＴダイ押出機で線状低密度ポリエチレンを１５μｍ厚さに塗布して本発明に供する積層体１０を作製し、その後に大断、小断、打ち抜きをして図２に示すブランク１’を作製した。
【００２５】
上記で作製したブランク１’を線状低密度ポリエチレン層側を内側にして逆円錐状に巻回して、図２上の一方の側端縁部４０を他方の側端縁部５０の上に重ねると共に重ねた両側端縁部４０、５０にホットメルトを塗布して側端接合部７（開封用切目６との位置関係が図５に示す位置関係となる側端接合部７）で接合して図４に示す半完成円錐型包装体となし、その後に前記半完成円錐型包装体内に前記外縁３０により形成された開口部から円錐形状のチョコレート菓子Ｔ等の内容物を充填し、前記半完成円錐型包装体の下端部（頂点２０）を熱接着すると共に、前記外縁３０により形成された開口部を３方向から放射状に寄せ合わせ、互いに対向する前記線状低密度ポリエチレン層面同士を熱接着することにより、図１に示すような開封前の密封された円錐型包装体１を得た。この円錐型包装体１を円錐頂点側が下になるように包装体の下半分を一方の手で保持した状態で、他方の手で引裂き用摘み部４を摘んで、略横方向（図１上、符号Ａで示す方向）に引き裂くと開封用切目６から前記他方の側端縁部５０を構成する積層体１０の紙層１２に剥離界面が移行しすると共に前記他方の側端縁部５０側に向いた前記開封用切目６の両端部から前記積層体１０の透明基材フィルム１１が裂けるために引裂き用摘み部４の裏面側（線状低密度ポリエチレン層側）に前記他方の側端縁部５０を構成する積層体１０の２軸延伸ポリエステルフィルムと紙層の一部が剥ぎ取られて密封された前記円錐型包装体１を開封することができると共に、引き裂きを継続することにより包装体の上半分が引き裂かれてチョコレート菓子の上半分を露出させることができ、食することができた。
【図面の簡単な説明】
【００２６】
【図１】本発明にかかる円錐型包装体の一実施例の開封時の初期段階を示す斜視図である。
【図２】図１の円錐型包装体の成型前のブランクを示す平面図である。
【図３】（ａ）はブランクを構成する積層体の層構成を図解的に示す図、（ｂ）は図２のＸ−Ｘ線断面を図解的に示す図である。
【図４】図２のブランクから成型された半完成円錐型包装体の斜視図である。
【図５】図４の引裂き用摘み部近傍を拡大して示す説明図である。
【図６】図５に対応する開封用切目の他の設け方を示す説明図である。
【図７】本発明にかかる円錐型包装体の他の実施例を示す図５に対応する図である。
【図８】（ａ）は図１に示す包装体の引裂き開封後の下半分の引裂き開封端面を図解的に示す説明図、（ｂ）は図７に示す包装体の引裂き開封後の下半分の引裂き開封端面を図解的に示す説明図である。
【符号の説明】
【００２７】
１                                      円錐型包装体
１’                                    ブランク
２，２’                                切欠
３，３’                                貫通切目
４                                      引裂き用摘み部
５                                      第１ミシン目線
５’                                    第２ミシン目線
６，６’                                開封用切目
７                                      側端接合部
１０                                    積層体
１１                                    透明基材フィルム層
１２                                    紙層
１３                                    アルミニウム箔層
１４                                    熱接着性樹脂層
２０                                    頂点
３０                                    円弧状の外縁
４０，５０                              側端縁部
α，β                                  突出部
Ｋ                                      突出切目
Ｔ                                      円錐形状のチョコレート菓子
【図１】
2005255243.tif 000003
【図２】
2005255243.tif 000004
【図３】
2005255243.tif 000005
【図４】
2005255243.tif 000006
【図５】
2005255243.tif 000007
【図６】
2005255243.tif 000008
【図７】
2005255243.tif 000009
【図８】
2005255243.tif 000010